(57)【特許請求の範囲】
【請求項１】
建築物の外壁の軒裏天井材との突き合わせ部分に取り付けられて、前記軒裏天井材の端部を支持する見切り縁であって、
前記建築物の外壁に沿って略水平状に延びて取り付けられ、上面部、下面部及びそれら上面部と下面部とを連結する連結部を有して断面コ字状に形成され、かつ前記上面部と前記下面部とにそれぞれ換気孔が形成されてなる見切り縁本体と、
前記軒裏天井材の端部を挟み込んだ状態でかつ該軒裏天井材の端部を前記見切り縁本体の上面部、下面部及び連結部との間にそれぞれ間隔をあけて支持する取付金具とを備え、
前記取付金具は、上面部、下面部及びそれら上面部と下面部とを連結する連結部を有する断面コ字状に形成され、
該取付金具の上面部と下面部は、前記見切り縁本体の上面部と下面部に対してそれぞれ間隔をあけて係合され、
前記取付金具は前記見切り縁本体の連結部に見切り縁本体の長手方向に沿ってスライド可能に係合されていることを特徴とする見切り縁。
【請求項２】
前記見切り縁本体が合成樹脂によって形成されていることを特徴とする請求項１記載の見切り縁。
【請求項３】
前記取付金具は、前記軒裏天井材の端部を、前記見切り縁本体の上面部と下面部にそれぞれ形成される換気孔よりも奥方に挿入した状態で支持することを特徴とする請求項１または２記載の見切り縁。
【請求項４】
前記見切り縁本体及び取付金具の上面部は、見切り縁本体及び取付金具の下面部よりも長く設定されていることを特徴とする請求項１〜３のいずれかに記載の見切り縁。
【請求項５】
前記取付金具の上面部の内面には、挿入する前記軒裏天井材の端部を案内する凹部が形成されていることを特徴とする請求項１〜４のいずれかに記載の見切り縁。
【請求項６】
取付金具は、軒裏天井材の厚さに応じて種々の大きさのものが用意され、そられのうち支持する軒裏天井材の厚さに対応するものが選択されて、前記見切り縁本体の連結部に係合されていることを特徴とする請求項１〜５のいずれかに記載の見切り縁。
【請求項７】
上面部、下面部及びそれら上面部と下面部とを連結する連結部を有して断面コ字状に形成され、かつ前記上面部と前記下面部とにそれぞれ換気孔が形成されてなる見切り縁本体を、上面部、下面部及びそれら上面部と下面部とを連結する連結部を有する断面コ字状で、この上面部と下面部が前記見切り縁本体の上面部と下面部に対してそれぞれ間隔をあけ、前記見切り縁本体の連結部に見切り縁本体の長手方向に沿ってスライド可能に係合された取付金具によって建築物の外壁に沿って側方へ延びるように取り付け、
前記取付金具のコ字状部分の内側に、軒裏天井材の一端部を、前記見切り縁本体の上面部、下面部及び連結部との間にそれぞれ間隔をあけて挿入して、該軒裏天井材の端部を前記取付金具によって支持し、軒裏天井材の他端部を鼻隠し、鼻隠し下地材、または野縁材の少なくともに一つによって支持することを特徴とする軒裏天井の施工方法。
【発明の詳細な説明】
【０００１】
【発明の属する技術分野】
本発明は、住宅等の建築物の外壁と軒裏天井材との境に周設される見切り縁および軒裏天井の施工方法に関するものである。
【０００２】
【従来の技術】
従来より、木造建築等の住宅の軒裏天井の施工方法として、一定間隔置きに野縁を設置し、この設置した野縁や、壁側の下地、鼻隠しもしくは破風板側の下地等に、軒裏天井材を釘やビス等によって固定するものが知られている。
また、この場合、軒裏天井に換気孔を設けるには、まず換気孔の大きさに合わせて下地を組み込み、該下地に軒裏天井材を釘等で固定した後、換気孔の位置に合わせて軒裏天井材を切断したり、あるいは予め所要箇所を切断した軒裏天井材を下地に釘等で固定し、その後、換気孔の端部を仕上処理することが行われている。
また、軒裏天井部分に額縁状の換気孔を設ける場合には、予め天井支持用の下地に額縁状の換気孔を取り付け、その後、該換気孔部分を残して他の部分を覆うように軒裏天井材を前記下地に釘等で固定することも行われている。
【０００３】
【発明が解決しようとする課題】
しかしながら、上記した従来の施工方法にあっては次に示す問題があった。
すなわち、軒裏には、軒裏天井材を貼り付けるスペースが小さいにもかかわらず、軒裏天井材を支持するため、野縁等下地を所定間隔置きに設けなければならず、それら下地材の組付作業及び該下地材への軒裏天井材の固定作業が面倒であった。
【０００４】
また、それら下地材を組み付けるためには、使用する軒裏天井材の厚さに応じて、それぞれ野縁等下地材の間隔を変えたり高さを変えたりするといった専用の設計を行わなければならず、使用する軒裏天井材の厚さが異なる場合、設計及び施工を共通化できなかった。
また、軒裏天井に換気孔を設けるには、換気孔を設ける箇所の周囲の下地材を補強したり、一旦、軒裏天井材を貼り付けた後に該軒裏天井材を切断したり、あるいは、予め天井支持用の下地に額縁状の換気孔を取り付けるといった、換気孔を設けるために面倒な付随作業が必要であった。
【０００５】
本発明は、上記事情に鑑みて成されたものであって、その目的とするところは、天井材を支持するための野縁等の下地の施工を省いたりあるいはそれら下地作業の簡素化を図ることができ、また、換気孔を設けるための特別な工事を行うことなく、極めて簡単な構成で軒裏換気が行える見切り縁及び軒裏天井の施工方法を提供することにある。
【０００６】
【課題を解決するための手段】
本発明は、前記課題を解決するために、以下の点と特徴としている。すなわち、請求項１に係る見切り縁は、建築物の外壁の軒裏天井材との突き合わせ部分に取り付けられて、前記軒裏天井材の端部を支持する見切り縁であって、前記建築物の外壁に沿って略水平状に延びて取り付けられ、上面部、下面部及びそれら上面部と下面部とを連結する連結部を有して断面コ字状に形成され、かつ前記上面部と前記下面部とにそれぞれ換気孔が形成されてなる見切り縁本体と、前記軒裏天井材の端部を挟み込んだ状態でかつ該軒裏天井材の端部を前記見切り縁本体の上面部、下面部及び連結部との間にそれぞれ間隔をあけて支持する取付金具とを備え、前記取付金具は、上面部、下面部及びそれら上面部と下面部とを連結する連結部を有する断面コ字状に形成され、該取付金具の上面部と下面部は、前記見切り縁本体の上面部と下面部に対してそれぞれ間隔をあけて係合され、前記取付金具は前記見切り縁本体の連結部に見切り縁本体の長手方向に沿ってスライド可能に係合されていることを特徴とする。
【０００７】
前記見切り縁では、見切り縁本体の上面部と下面部にそれぞれ換気孔が形成されていること、また、取付金具によって軒裏天井材の端部が見切り縁本体の上面部、下面部及び連結部との間にそれぞれ間隔をあけて支持されることから、見切り縁本体と軒裏天井材との間に換気通路が形成され、この換気通路を介して、軒裏部分の換気を行うことができる。また、軒裏天井材は、その端部が前記取付金具によって支持されることから、その分軒裏天井材の支持強度が増し、野縁材等を省略したり簡素化することができる。
加えて、前記見切り縁では、見切り縁本体の上面部および下面部と取付金具の上面部および下面部との間の間隔によって、軒裏を換気するための換気通路を形成することができ、また、この換気通路に軒裏天井材の一端部が挿入されて換気通路が塞がれるといった事態も未然に防止できる。また、取付金具が見切り縁本体に対してスライド可能とされているから、取付金具による固定位置並びに金具固定数を自由に設定できる。
【０００８】
請求項２に係る見切り縁は、前記見切り縁本体が合成樹脂によって形成されていることを特徴とする。
前記見切り縁では、見切り縁本体が合成樹脂から形成されているので、軽量で運搬性及び取り扱い性に優れる。また、錆等の腐食の心配もない。
【０００９】
請求項３に係る見切り縁は、前記取付金具が、前記軒裏天井材の端部を、前記見切り縁本体の上面部と下面部にそれぞれ形成される換気孔よりも奥方に挿入した状態で支持することを特徴とする。
前記見切り縁では、見切り縁本体と軒裏天井材との間に形成される換気通路が、屈曲して形成されるため、例えば、強風時に外気が直線的に軒裏へ浸入するのを防止でき、このため、暖房時に居室の暖房負荷が増したり、強風時の雨水の浸入するのを防止できる。
【００１２】
請求項４に係る見切り縁は、前記見切り縁本体及び取付金具の上面部が、見切り縁本体及び取付金具の下面部よりも長く設定されていることを特徴とする。
【００１３】
前記見切り縁では、天井の下方から軒裏天井材の端部を差し入れる際に、軒裏天井材を先端側を持ち上げて斜めにした状態で、取付金具の上面部と下面部との間にその先端側を挿入するが、このとき、見切り縁本体および取付金具の上面部が、見切り縁本体及び取付金具の下面部よりも長く設定しているため、軒裏天井材の見切り縁への挿入口を広くとれることから、軒裏天井材の見切り縁へのセットが容易になる。また、この軒裏天井材の見切り縁への挿入口を利用して、作業者が指先を挿入して取付金具をつかんでスライドすることができ、取付金具の位置調整が容易になる。また、前記軒裏天井材の見切り縁への挿入口を利用して、作業者がドライバー等の工具の先端を取付金具の連結部に挿入することができ、したがって、見切り縁の固定も容易に行える。
【００１４】
請求項５に係る見切り縁は、取付金具の上面部の内面に、挿入する前記軒裏天井材の端部を案内する凹部が形成されていることを特徴とする。前記見切り縁では、軒裏天井材を斜めにしてその端部を凹部に押し当てた後、取付金具の下面部の先端を支点として略水平状となるように回転する際に、凹部が軒裏天井材の端部を案内することとなるため、軒裏天井材の見切り縁への挿入セットが容易になる。
【００１５】
請求項６に係る見切り縁は、取付金具が、軒裏天井材の厚さに応じて種々の大きさのものが用意され、それらのうち支持する軒裏天井材の厚さに対応するものが選択されて、前記見切り縁本体の連結部に係合されていることを特徴とする。前記見切り縁では、取付金具のみ取り替えれば、異なる厚さの軒裏天井材であっても支持することができる。つまり、見切り縁本体を共通化することができ、その分、設計の簡素化並びにコストダウンを図ることができる。
【００１６】
請求項７に係る軒裏天井の施工方法は、上面部、下面部及びそれら上面部と下面部とを連結する連結部を有して断面コ字状に形成され、かつ前記上面部と前記下面部とにそれぞれ換気孔が形成されてなる見切り縁本体を、上面部、下面部及びそれら上面部と下面部とを連結する連結部を有する断面コ字状で、この上面部と下面部が前記見切り縁本体の上面部と下面部に対してそれぞれ間隔をあけ、前記見切り縁本体の連結部に見切り縁本体の長手方向に沿ってスライド可能に係合された取付金具によって建築物の外壁に沿って側方へ延びるように取り付け、前記取付金具のコ字状部分の内側に、軒裏天井材の一端部を、前記見切り縁本体の上面部、下面部及び連結部との間にそれぞれ間隔をあけて挿入して、該軒裏天井材の端部を前記取付金具によって支持し、軒裏天井材の他端部を鼻隠し、鼻隠し下地材、または野縁材の少なくともに一つによって支持することを特徴とする。
【００１７】
前記軒裏天井の施工方法では、ごく簡単な工程で、軒裏天井材の端部を支持することができ、同時に、軒裏の換気通路も確保できる。
【００１８】
【発明の実施の形態】
以下、本発明の実施の形態を図面を参照して説明する。
図１は本発明の実施の形態を示す見切り縁を用いた軒裏天井材の支持構造を示す側断面図である。図１において符号１は縦胴縁２の外側にサイディング３が施された建築物の外壁、４は鼻隠しで、この鼻隠し４は鼻隠し下地材５により支持されている。６は垂木、７は軒裏天井材８を支持する野縁材、９は通気野縁である。また、１０は前記建築物の外壁１の軒裏天井材８との突き合わせ部分に取り付けられてた見切り縁である。
【００１９】
見切り縁１０は、見切り縁本体１１と、見切り縁本体１１を建築物の外壁１（具体的には通気野縁９）に固定する取付金具１２とから構成されている。
見切り縁本体１１は、前記建築物の外壁１に沿って側方へ延びて取り付けられるものであって、図２〜図４に示すように、互いに平行に配置される上面部１１ａ、下面部１１ｂ及びそれら上面部１１ａと下面部１１ｂとを連結するようそれらに直交するように設けられた連結部１１ｃを有し、全体として断面コ字状に形成されている（図２参照）。
上面部１１ａと下面部１１ｂには、それぞれ見切り縁本体１１の長さ方向に沿って長孔１３ａ…が複数個多段に並べられてなる換気孔１３が形成されいる（図３、図４参照）。
そして、前述した構成の見切り縁本体１１は合成樹脂の成形材によって作られている。
【００２０】
取付金具１２は、前述したように見切り縁本体１１を建築物の外壁１に取り付けるとともに、軒裏天井材８の端部を挟み込んだ状態でかつ該軒裏天井材８の端部を前記見切り縁本体１１の上面部１１ａ、下面部１１ｂ及び連結部１１ｃとの間にそれぞれ間隔をあけて支持するものである。
取付金具１２は、図５、図６に示すように、前記見切り縁本体１１と同様、上面部１２ａ、下面部１２ｂ及びそれら上面部１２ａと下面部１２ｂとを連結する連結部１２ｃを有し、全体として断面コ字状に形成されている。
【００２１】
取付金具１２の連結部１２ｃには外方（図１において上下方向）に突出する外フランジ１４、１４が設けられ、この外フランジ１４、１４が前記見切り縁本体１１の連結部１１ｃの内面部に形成された溝１５、１５に係合することで、取付金具１２は見切り縁本体１１の連結部１１ｃに該見切り縁本体１１の長手方向に沿ってスライド可能とされている。そして、取付金具１２は、一つの見切り縁本体１１に対して複数個係合されていて、前記溝１５、１５に沿って適宜位置にまで移動され、当該取付金具１２の連結部１２ｃと前記見切り縁本体１１の連結部１１ｃが重ね合わされた状態で、それら連結部１２ｃ、１１ｃが止めねじ１６によって共締めされることにより、取付金具１２自体のみならず、見切り縁本体１１も建築物の外壁に固定される。
【００２２】
取付金具１２の上面部１２ａと下面部１２ｂの先端にはそれぞれ係合部１７ａ、１７ｂが形成され、見切り縁本体１１の上面部１１ａと下面部１１ｂの先端には、前記係合部１７ａ、１７ｂに対応する係合部１８ａ、１８ｂが形成されている。そして、それら互いに対応する係合部（１７ａ、１８ａ、１７ｂ、１８ｂ）同士が係合されることによって、取付金具１２の上面部１２ａと下面部１２ｂは、前記見切り縁本体１１の上面部１１ａと下面部１１ｂに対してそれぞれ間隔２０、２１をあけて互いに平行に保持されている（図７、図８参照）。
【００２３】
なお、見切り縁本体１１の上面部１１ａと下面部１１ｂの先端に設けられる係合部１８ａ、１８ｂは、それら上面部１１ａおよび下面部１１ｂに直交する起立部１１ａａ、１１ｂａの先端にそれぞれ設けられている（図２参照）。これに対し、取付金具１２の係合部１７ａ、１７ｂは、図７に示すように、上面部１２ａと下面部１２ｂの先端に直接設けられる場合と、図８に示すように、上面部１２ａに直交する起立部１２ａａの先端に設けられる場合とがある。
【００２４】
このように取付金具１２の上面部１２ａや下面部１２ｂに起立部１２ａａを設ける場合と設けない場合とがあるのは、取付金具１２に挿入する軒裏天井材８の厚さの違いによる。つまり、軒裏天井材８の厚さが厚い場合には、前記起立部１２ａａは不要になるが、軒裏天井材８の厚さが薄い場合には、起立部１２ａａが必要になる。これは、見切り縁本体１１を共通部材とし、予め、軒裏天井材８の厚さに応じて種々の大きさ（前記起立部を設けたり、起立部の高さを変えたりする）の取付金具１２を用意し、それらのうち使用する軒裏天井材８の厚さに対応するものを選択して、見切り縁本体１１に組み込んで使用するためである。
【００２５】
見切り縁本体１１及び取付金具１２の上面部１１ａ、１２ａの長さＬａは、見切り縁本体１１及び取付金具１２の下面部１１ｂ、１２ｂの長さＬｂよりも長く設定されている（図７参照）。
【００２６】
また、取付金具１２の上面部１２ａおよび下面部１２ｂには、互いに接近する方向へ突出するように凸部２２、２２が設けられている。この凸部２２、２２は、取付金具１２の上面部１２ａと下面部１２ｂとの間に、軒裏天井材８の端部を挿入するとき、該軒裏天井材８のストッパとして機能するところである。この凸部２２は、連結部１２ｃから若干先端側（連結部１２ｃの逆側）にずれた位置であって、かつ、前記見切り縁本体１１の上面部１１ａと下面部１１ｂにそれぞれ形成される換気孔１３の位置よりも奥方の位置に形成されている。このため、取付金具１２の上面部１２ａと下面部１２ｂとの間に挿入される軒裏天井材８は、取付金具１２の連結部１２ｃに突き当たることなく、しかも、見切り縁本体１１の上面部１１ａと下面部１１ｂにそれぞれ形成される換気孔１３よりも奥方に挿入した状態で、前記凸部２２、２２に当たって停止される。
【００２７】
取付金具１２の上面部１２ａの内面には、側面視略三角形状の凹部２４が形成されている。この凹部２４は、図７及び図８に示すように、取付金具１２に挿入される軒裏天井材８の端部を案内する箇所であって、３角形をなす辺のうち、先端側の辺２４ａは直線状に形成され、奥側の辺２４ｂは円弧状に形成されている。
【００２８】
次に、上記見切り縁を用いた軒裏天井の施工方法について説明する。
まず、支持しようとする軒裏天井材８の厚さ（例えば、５ｍｍ、８ｍｍ、１１ｍｍ等がある）に対応した大きさの取付金具１２が取り付られている見切り縁１０を用意し、それらを建築物の外壁１に沿って側方へ延びるように取り付ける。このとき、取付金具１２を、その外フランジ１４を利用して見切り縁本体１１の連結部１１ｃの溝１５に沿わせて、見切り縁本体１１の長さ方向の適宜位置に移動させる。そして、止めねじ１６を用いて、取付金具１２の連結部１２ｃと見切り縁本体１１の連結部１１ｃを重ね合わせた状態で共締めし、取付金具１２及び見切り縁本体１１を通気野縁９に固定する。
【００２９】
なお、取付金具１２は見切り縁本体１１に対して取付・取外自在であり、予め、見切り縁本体１１に、使用しようとする取付金具１２とは異なる取付金具が取り付けられている場合には、一旦それら異なる取付金具１２を取り外し、適当な大きさの取付金具１２に付け替える。このとき、一つの見切り縁本体１に取り付ける取付金具１２の数も任意に選択できる。
【００３０】
次いで、図７及び図８に示すように、軒裏天井材の一端を取付金具１１の上面部１１ａと下面部１１ｂとの間に挿入する。すなわち、軒裏天井材８を、一端側が上方となるよう斜めに傾斜させ、該軒裏天井材８の一端側を上面部１１ａと下面部１１ｂとの間に挿入して、取付金具１２の上面部１２ａに形成した凹部２４の内面に突き当てる。
【００３１】
このとき、見切り縁本体１１および取付金具１２の上面部１１ａ、１２ａの長さＬａが、見切り縁本体１１及び取付金具１２の下面部１１ｂ、１２ｂの長さＬｂよりも長く設定しているため、軒裏天井材８の見切り縁１０への挿入口Ｘを広くとれることから、軒裏天井材８の見切り縁１０へのセットが容易になる（図７参照）。すなわち、この挿入口Ｘが広いと、軒裏天井材８の一端側を取付金具１２の上面部１２ａの凹部２４の内面に突き当てようとするときに、一端、軒裏天井材８の一端側を取付金具１２の上面部１２ａに突き当て、それを上面部１２ａに沿って移動させることにより、軒裏天井材８の一端側を前記凹部２４に容易に係合させることができる。
また、この軒裏天井材８の見切り縁１０への挿入口Ｘを利用して、作業者が指先を挿入して取付金具１２をつかんで左右方向へスライドすることができ、取付金具１２の位置調整も容易になる。また、前記軒裏天井材８の見切り縁１０への挿入口Ｘを利用して、作業者がドライバー等の工具の先端を取付金具１２の連結部１２ｃに挿入することができ、したがって、見切り縁１０の固定も容易に行える。
【００３２】
そして、このように凹部２４に突き当てた傾斜状態の軒裏天井材８を、取付金具１２の下面部１２ｂの先端の係合部１７ｂと見切り縁本体１１の下面部１１ｂの係合部１８ｂとの係合部分Ｐを支点とし、該軒裏天井材８の一端部が凹部２４の円弧状の辺２４ｂに沿うように回転させながら、水平状となった時点で、この軒裏天井材８を取付金具１１の上面部１１ａと下面部１１ｂとの水平状の隙間の奥方に押し込んで、凸部に２２に突き当てる。このように、軒裏天井材８を傾斜状態から水平状態に回転させる際に、凹部２４の内面を軒裏天井材８の端部の案内部として利用できる。
【００３３】
次いで、このように水平状にした軒裏天井材８の他端部を、図１に示すように、鼻通し４に形成した凹部４ａに係合させた状態で、このようにセットした軒裏天井材８の他端部を、釘やビス２５等の固定手段によって、鼻隠し下地材５や野縁材７に固定する。あるいは、図１に示すように、軒裏天井材８の他端部を、Ｌ字状の止め金具２６を利用して鼻隠し４に固定する。
なお、軒裏天井材８の大きさにも左右されるが、軒裏天井材８が例えば厚さ１１ｍｍ程度あって、それ自体適宜剛性をもつものであれば、野縁材７は省略できる。また、軒裏天井材８の厚さが５ｍｍ、あるいは８ｍｍ程度であって、それほど強い剛性を持たない場合でも、従来に比べて、野縁材７の配置間隔を広げたり、野縁材７自体の本数を減少させることができる。
【００３４】
上記の軒裏天井の構造によれば、見切り縁本体１１の上面部１１ａと下面部１１ｂにそれぞれ換気孔１３が形成されていること、また、取付金具１２によって軒裏天井材８の端部が見切り縁本体１１の上面部１１ａ、下面部１１ｂ及び連結部１１ｃとの間にそれぞれ間隔をあけて支持されることから、見切り縁本体１１と軒裏天井材８との間（より具体的には見切り縁本体１１と取付金具１２との間）に、換気通路Ｙが形成され（図１参照）、この換気通路Ｙを介して、軒裏部分の換気を行うことができる。
また、上記換気であると、軒元に連続して換気孔を設けることができ、従来のように局所的な配置の換気孔に比べて、換気むらの少ない理想的な換気が行える。
このように、見切り縁１０自体に換気機能を持たせてあるため、別途軒裏天井に換気孔を設ける必要がなく、極めて簡単な構成で軒裏換気が行えるのである。このため、換気孔を形成するため、額縁状の換気孔を野縁材７に予め取りつけたり、一旦、取りつけた軒裏天井材８を切断したり、換気孔周辺の野縁材７の補強したりする、換気孔形成のための付随する作業も当然に不要になる。
【００３５】
加えて、前記見切り縁１０では、見切り縁本体１１と軒裏天井材８との間に形成される換気通路Ｙが、屈曲して形成されるため、例えば、強風時に外気が直線的に軒裏へ浸入するのを防止でき、暖房時に居室の暖房負荷が増したり、強風時の雨水の浸入するのを防止できる。
【００３６】
また、軒裏天井材８は、その端部が前記取付金具１２によって支持されることから、その分、軒裏天井材８の支持強度が増し、野縁材等を省略したり簡素化することができる。
【００３７】
また、上記のように見切り縁１０に一体的に換気孔１３を設けているため、従来の局所的に設ける換気孔に比べ、配置が目立たず、いわゆる換気孔ではなく、外額縁のような仕上がりとなり、意匠的にも優れるものとなっている。
【００３８】
図９は、本発明の他の実施の形態を示す見切り縁を用いた軒裏天井材の支持構造を示す側断面図である。
この実施の形態が前記の実施の形態と異なるところは、軒裏天井材８を斜めに傾斜した状態で取り付けた点である。
【００３９】
軒裏天井材８の傾斜に合わせて、見切り縁１０も斜めに取りつけており、野縁、７及び鼻隠し下地材５も軒裏天井材８の傾斜に合わせて取りつけている。
このような、施工方法においても、前記した実施の形態と同様に、見切り縁本体１１と軒裏天井材８との間に、換気通路Ｙが形成され、この換気通路Ｙを介して、軒裏部分の換気を行うことができ、また、軒裏天井材８の一端部を取付金具１２によって支持しることから、その分、軒裏天井材８の支持強度が増し、野縁材等を省略したり簡素化することができる効果を奏する。
【００４０】
【発明の効果】
以上説明したように本発明によれば以下の優れた効果を奏する。請求項１に係る見切り縁によれば、見切り縁本体の上面部と下面部にそれぞれ換気孔が形成されていること、また、取付金具によって軒裏天井材の端部が見切り縁本体の上面部、下面部及び連結部との間にそれぞれ間隔をあけて支持されることから、見切り縁本体と軒裏天井材との間に換気通路が形成され、この換気通路を介して、軒裏部分の換気を行うことができる。また、軒元に連続して換気孔を設けることができ、従来のように局所的な配置の換気孔に比べて、換気村の少ない理想的な換気が行える。また、上記のように見切り縁に一体的に換気孔を設けているため、従来の局所的に設ける換気孔に比べ、配置が目立たず、いわゆる換気孔ではなく、外額縁のような仕上がりとなり、意匠的にも優れるもとなる。また、軒裏天井材は、その端部が取付金具によって支持されることから、その分軒裏天井材の支持強度が増し、野縁材等を省略したり簡素化することができる。
加えて、前記見切り縁では、見切り縁本体の上面部および下面部と取付金具の上面部および下面部との間の間隔によって、軒裏を換気するための換気通路を形成することができ、また、この換気通路に軒裏天井材の一端部が挿入されて換気通路が塞がれるといった事態も未然に防止できる。また、取付金具が見切り縁本体に対してスライド可能とされているから、取付金具による固定位置並びに金具固定数を自由に設定できる。
【００４１】
請求項２に係る見切り縁によれば、見切り縁本体が合成樹脂から形成されているので、軽量で運搬性及び取り扱い性に優れ、また、錆等の腐食の心配もない。
【００４２】
請求項３に係る見切り縁によれば、見切り縁本体と軒裏天井材との間に形成される換気通路が、屈曲して形成されるため、例えば、強風時に外気が直線的に軒裏へ浸入するのを防止でき、このため、暖房時に居室の暖房負荷が増したり、強風時の雨水の浸入するのを防止できる。
【００４４】
請求項４に係る見切り縁によれば、天井の下方から軒裏天井材の端部を差し入れる際に、軒裏天井材を先端側を持ち上げて斜めにした状態で、取付金具の上面部と下面部との間にその先端側を挿入するが、このとき、見切り縁本体および取付金具の上面部が、見切り縁本体及び取付金具の下面部よりも長く設定しているため、軒裏天井材の見切り縁への挿入口を広くとれることから、軒裏天井材の見切り縁へのセットが容易になる。また、この軒裏天井材の見切り縁への挿入口を利用して、作業者が指先を挿入して取付金具をつかんでスライドすることができ、取付金具の位置調整が容易になる。また、前記軒裏天井材の見切り縁への挿入口を利用して、作業者がドライバー等の工具の先端を取付金具の連結部に挿入することができ、したがって、見切り縁の固定も容易に行える。
【００４５】
請求項５に係る見切り縁によれば、軒裏天井材を斜めにしてその端部を凹部に押し当てた後、取付金具の下面部先端を支点として略水平状となるように回転する際に、凹部が軒裏天井材の端部を案内することとなるため、軒裏天井材の見切り縁への挿入セットが容易になる。
【００４６】
請求項６に係る見切り縁によれば、取付金具のみ取り替えれば、異なる厚さの軒裏天井材であっても支持することができる。つまり、見切り縁本体を共通化することができ、その分、設計の簡素化並びにコストダウンを図ることができる。
【００４７】
請求項７に係る軒裏天井の施工方法によれば、ごく簡単な工程で、軒裏天井材の端部を支持することができ、同時に、軒裏の換気通路も確保できる。
【図面の簡単な説明】
【図１】  本発明の実施の形態を示すもので、軒裏天井の施工状態を示す断面図である。
【図２】  同実施の形態で用いられる、見切り縁本体の側面図である。
【図３】  図２のIII矢視図である。
【図４】  図２のIV矢視図である。
【図５】  同実施の形態で用いられる、取付金具の側面図である。
【図６】  図５のVI矢視図である。
【図７】  軒裏天井の施工方法を示す断面図である。
【図８】  軒裏天井の施工方法の他の例を示す断面図である。
【図９】  本発明の他の実施の形態を示すもので、軒裏天井の施工状態を示す断面図である。
【符号の説明】
１  外壁
９  通気野縁
１０  見切り縁
１１  見切り縁本体
１１ａ  上面部
１１ｂ  下面部
１１ｃ  連結部
１２  取付金具
１２ａ  上面部
１２ｂ  下面部
１２ｃ  連結部
１３  換気孔
１４  外フランジ
１５  溝
１６  止めねじ
１７ａ、１７ｂ、１８ａ、１８ｂ  係合部
２０、２１  間隔
２２  凸部
２４  凹部
【図１】
0004454741.tif 000002
【図２】
0004454741.tif 000003
【図３】
0004454741.tif 000004
【図４】
0004454741.tif 000005
【図５】
0004454741.tif 000006
【図６】
0004454741.tif 000007
【図７】
0004454741.tif 000008
【図８】
0004454741.tif 000009
【図９】
0004454741.tif 000010